(57)【要約】【課題】複数の筐体の折り畳み状態において通話することが可能な携帯端末装置を提供する。【解決手段】携帯端末１は、第１の筐体１０がヒンジ３０を介して第２の筐体２０に対してほぼ３６０°回動する。第１の筐体１０のタッチパネル１１側の面には第１の受話部１２が設けられ、側面には送話部１３が設けられており、タッチパネル１１を外側にして筐体を折り畳んだ状態で通話が可能である。また、第１の筐体１０のタッチパネル１１と反対側の面には第２の受話部１４が設けられており、タッチパネル１１を内側にして筐体を折り畳んだ状態で通話が可能である。第１の筐体１０の内部には、第１の受話部１２を構成する第１のスピーカーと第２の受話部１４を構成する第２のスピーカーとが並べて配置されている。第１の受話部１２と第２の受話部１４とは、マグネット１５と磁気センサ２３とにより検出される開閉状態に基づいて切り替えられる。【選択図】図１
2011259182.tif 000002
【特許請求の範囲】
【請求項１】
一の筐体が他の筐体とヒンジで回動可能に連結され、前記一の筐体の対向する第１及び第２の主面を表裏反転させて折り畳むことが可能な携帯端末装置であって、
前記一の筐体は、前記第１の主面に設けられた第１の受話部と、前記第２の主面に設けられた第２の受話部と、側面に設けられた送話部と、を備える、
ことを特徴とする携帯端末装置。
【請求項２】
前記第１の受話部は、前記第１の主面から外部に放音する第１のスピーカーを備え、
前記第２の受話部は、前記第１のスピーカーと同一平面上に並べて配置され前記第２の主面から外部に放音する第２のスピーカーを備える、
ことを特徴とする請求項１に記載の携帯端末装置。
【請求項３】
前記一の筐体と前記他の筐体との開閉状態を検出し、開閉情報として送出する開閉検出手段と、
前記開閉情報に基づいて、前記第１の受話部と前記第２の受話部とのオン／オフを切り替える通話制御手段と、をさらに備える、
ことを特徴とする請求項１又は２に記載の携帯端末装置。
【発明の詳細な説明】
【技術分野】
【０００１】
本発明は、筐体を複数の折り畳み状態として通話が可能な携帯端末装置に関する。
【背景技術】
【０００２】
近時、携帯電話機に代表される携帯端末装置において、多機能化及びデザイン性の要求等に伴い、筐体の構成を種々の状態（以下、本明細書ではある状態の筐体構成を「スタイル」ともいう）に変更可能なものが広く利用されている。
【０００３】
特許文献１には、２つのマイクロホンを備え、筐体の開閉状態が異なる２種類の場合で通話が可能な携帯端末装置が開示されている。
【先行技術文献】
【特許文献】
【０００４】
【特許文献１】特開２００５−２４４７５２号公報
【発明の概要】
【発明が解決しようとする課題】
【０００５】
ところで、いわゆるスマートフォンと呼ばれる高機能な携帯端末装置の普及に伴い、折り畳み式の携帯端末装置を開いたときにヒンジを挟んで筐体を横長にして使用するものが増えている。このような携帯端末装置では、筐体を開いた場合にはユーザが手で持って通話しにくいため、折り畳み状態で通話することとなる。
【０００６】
また、ヒンジで結合された筐体のうち一の筐体を表裏反転させてそれぞれ折り畳むことも行われている。しかしながら、このような構造では所定の一のスタイル、即ち折り畳み状態にしないと通話することができない。複数の折り畳み状態で通話を可能とする構造は上記特許文献１には開示されていない。
【０００７】
本発明は、上記問題点に鑑みてなされたもので、複数の筐体の折り畳み状態において通話することが可能な携帯端末装置を提供することである。
【課題を解決するための手段】
【０００８】
上記目的を達成するため、本発明に係る携帯端末装置は、
一の筐体が他の筐体とヒンジで回動可能に連結され、前記一の筐体の対向する第１及び第２の主面を表裏反転させて折り畳むことが可能な携帯端末装置であって、
前記一の筐体は、前記第１の主面に設けられた第１の受話部と、前記第２の主面に設けられた第２の受話部と、側面に設けられた送話部と、を備える、
ことを特徴とする。
【発明の効果】
【０００９】
本発明によれば、複数の筐体の折り畳み状態において通話することが可能な携帯端末装置が得られる。
【図面の簡単な説明】
【００１０】
【図１】本発明の実施形態に係る携帯端末を示す斜視図である。
【図２】本発明の実施形態に係る携帯端末の機能的構成を示すブロック図である。
【図３】第１の筐体のタッチパネル側の面及びその反対側の面を示す図である。
【図４】図３のＹ−Ｙ線で切断した断面図である。
【図５】（ａ）は携帯端末をタッチパネルが外側となるように折り畳んだ状態を示す斜視図であり、（ｂ）は携帯端末をタッチパネルが内側となるように折り畳んだ状態を示す斜視図である。
【発明を実施するための形態】
【００１１】
以下、本発明の実施形態について添付図面を参照して説明する。
【００１２】
図１に示すように、本実施形態に係る携帯端末１は、第１の筐体１０と、第２の筐体２０と、ヒンジ３０と、を備えている。
【００１３】
第１の筐体１０と第２の筐体２０とはヒンジ３０により連結されている。ヒンジ３０は平行な２軸の回転ヒンジ機構を備えている。即ち、ヒンジ３０に対して、図１に示されているＸ軸を中心として第１の筐体１０が回転し、隣接する他の軸を中心として第２の筐体２０が回転する。これにより、図５（ａ），（ｂ）で後述するように、第１の筐体１０と第２の筐体２０とが相対的にほぼ３６０°回動できるようになっている。
【００１４】
第１の筐体１０には、タッチパネル１１と、第１の受話部１２と、送話部１３と、第２の受話部１４と、マグネット１５と、が設けられている。また、第２の筐体２０には、キーボード２１と、操作ボタン２２と、磁気センサ２３と、が設けられている。
【００１５】
タッチパネル１１は、ユーザの操作による情報、及び携帯端末１にインストールされた各種プログラムの動作等を表示する表示パネルであるとともに、ユーザが画面に触れることで指示を入力する入力装置である。キーボード２１は、本実施形態ではパーソナルコンピュータと同様の配列を有する押下式の入力装置である。第１の筐体１０と第２の筐体２０とが開いている状態では、ユーザは基本的に第１の筐体１０と第２の筐体２０とを図示の如く横長として見ながら操作を行う。なお、この状態ではユーザは基本的にキーボード２１により操作を行うが、タッチパネル１１に指を触れるなどして操作を行なうことも可能である。
【００１６】
第１の受話部１２及び送話部１３は、携帯端末１を携帯電話機として使用する場合の通話機能を果たすものである。第１の受話部１２は、後述するようにスピーカーを内蔵しており、タッチパネル１１と同じ面で第１の筐体１０の長手方向の一端に設けられている。送話部１３は、後述するようにマイクロホンを内蔵しており、第１の筐体１０の長手方向の他端でタッチパネル１１の面に対する側面に設けられている。
【００１７】
第２の受話部１４は、タッチパネル１１の反対側の面でタッチパネル１１に向かって第１の受話部１２とほぼ一致する位置に設けられている。第２の受話部１４は、筐体（第１の筐体１０及び第２の筐体２０）が後述する閉状態にあるときに、第１の受話部１２に代わって送話部１３とともに通話機能を果たす。
【００１８】
操作ボタン２２は、筐体の開閉状態に伴い、ユーザが押下することで携帯端末１に対して所定の操作を実行させるための入力装置である。
【００１９】
マグネット１５及び磁気センサ２３は、タッチパネル１１が内側となるように筐体を閉じたときに対向して近接する位置に設けられている。磁気センサ２３は、本実施形態では、タッチパネル１１が内側となるように筐体が折り畳まれているとき、即ち磁気センサ２３がマグネット１５と近接しているときに「閉」に相当する信号を送出する。また、上記の状態から図１のように筐体が開かれたとき、即ち磁気センサ２３がマグネット１５から離隔している状態で「開」に相当する信号を送出する。
【００２０】
携帯端末１の機能的構成を図２にブロック図で示す。図２に示すように、携帯端末１は、制御部４１と、通信部４２と、アンテナ４３と、タッチパネル部４４と、操作部４５と、開閉検出部４６と、記憶部４７と、音声入出力部４８と、第１のスピーカー６５と、第２のスピーカー６８と、マイクロホン７１と、を備えている。
【００２１】
制御部４１は、ＣＰＵ（Central Processing Unit）などを備えており、携帯端末１の通信及び表示等、携帯端末１の機能全般を制御する。また、制御部４１は、記憶部４７に記憶された、例えば通話に関するプログラムを実行する。
【００２２】
通信部４２は、アンテナ４３を介して、通話に関する外部との通信を行う。
【００２３】
タッチパネル部４４は、前述のタッチパネル１１、及びタッチパネル１１の表示をオン／オフさせる回路等を含む。
【００２４】
操作部４５は、タッチパネル１１以外の入力部、例えば、キーボード２１及び操作ボタン２２から構成されており、ユーザからの指示を制御部４１へ入力する。
【００２５】
開閉検出部４６は、前述のマグネット１５及び磁気センサ２３から構成されており、筐体の開閉状態を検出し信号として制御部へ送出する。
【００２６】
記憶部４７は、ＲＯＭ（Read Only Memory）、ＲＡＭ（Random Access Memory）等から構成された記憶装置である。記憶部４７には、制御部４１が実行するプログラム及びデータ等が格納されている。また、記憶部４７は、例えば、制御部４１がプログラムを実行する際のワークメモリとして動作する。
【００２７】
音声入出力部４８は、通話及びアプリケーションの実行に伴う音声の入出力を管理する。通話の場合には、第１のスピーカー６５と第２のスピーカー６８とを制御部４１の指示に基づいてオン／オフを切り替える。このように、制御部４１と音声入出力部４８とは通話制御手段として機能する。
【００２８】
第１のスピーカー６５は、第１の受話部１２を構成するスピーカーである。第２のスピーカー６８は、第２の受話部１４を構成するスピーカーである。また、マイクロホン７１は、送話部１３を構成する。
【００２９】
次に、第１の筐体１０の具体的構成について、図３及び図４を参照して説明する。
【００３０】
第１の筐体１０は、タッチパネル１１側のケース６１と反対側のケース６２とが概ね蓋と箱との関係となるように組み合わされた構成物であり、図３に示された２つの面が本実施形態における第１の筐体１０の両主面である。第１の筐体１０は、その内部に、第１のスピーカー６５と、第２のスピーカー６８と、基板６９と、マイクロホン７１と、を収容している。
【００３１】
ケース６１及びケース６２は、金属、樹脂等の外被構造に適する材料から形成されている。ケース６１には、その主面外側に向かって開口する凹部６３と、凹部６３の底部からケース６１の主面内側に向かって貫通する孔６４と、が設けられている。同様に、ケース６２には、その主面外側に向かって開口する凹部６６と、凹部６３の底部からケース６１の主面内側に向かって貫通する孔６７と、が設けられている。また、ケース６２には、その側面で送話部１３に相当する位置に、孔７０が設けられている。
【００３２】
第１のスピーカー６５と第２のスピーカー６８とは、それぞれケース６２の内側に任意の手法で固定されている。第１のスピーカー６５は、孔６４に対向する位置で孔６４を介して外部に放音するように設けられたスピーカーである。同様に、第２のスピーカー６８は、孔６７に対向する位置で孔６７を介して外部に放音するように設けられたスピーカーである。図３及び図４に示すように、第１の受話部１２は凹部６３、孔６４及び第１のスピーカー６５を備えており、第２の受話部１４は凹部６６、孔６７及び第２のスピーカー６８を備えている。
【００３３】
基板６９は、タッチパネル１１、第１の受話部１２、送話部１３及び第２の受話部１４の動作に関する電気回路（図示せず）を備えている。基板６９は、第２の筐体２０の内部に設けられた制御部４１のＣＰＵ等が搭載された基板と、ヒンジ３０を通る電力線及び信号線を介して接続されている。
【００３４】
マイクロホン７１は、ケース６２の内側に任意の手法で固定されており、孔７０を介してユーザの話し声等の音声を受音する。図３及び図４に示すように、送話部１３は孔７０及びマイクロホン７１を備えている。
【００３５】
図３の如くケース６１とケース６２とを並べて見ると、第１の受話部１２と第２の受話部１４とは図の二点鎖線上に一致する。また、第１のスピーカー６５と第２のスピーカー６８とは第１の筐体１０の長手方向中心からほぼ同じ距離ずれた位置に設けられている。このことは、図４に示すように、第１の筐体１０の内部で第１のスピーカー６５と第２のスピーカー６８とが隣接して並べられていることを意味する。同じ素子である第１のスピーカー６５と第２のスピーカー６８とは、互いに反対方向を向いて同一平面上に並べられている。このように配置することで、ユーザは第１の筐体１０の表裏の両面で同じような受話をすることができる。また、このような配置により第１の筐体１０の厚さが増加させる必要が無くなる。なお、前述したように、送話部１３（孔７０及びマイクロホン７１）は第１の受話部１２を使用する場合と第２の受話部１４を使用する場合とで共用することができる。
【００３６】
次に、前述の如く構成された携帯端末１を携帯電話機として使用する場合の動作について図５（ａ），（ｂ）を参照して説明する。
【００３７】
図５（ａ）に、タッチパネル１１が外側となるように筐体を折り畳んだ状態を示す。この場合、磁気センサ２３は「開」の信号を発しており、タッチパネル１１が点灯し表示可能となっている。この状態では、ユーザは基本的にタッチパネル１１に触れることによって所定の操作を行う。図５（ａ）には、携帯端末１にインストールされている所定のソフトウェアにより、電話番号の入力、電話の発信及び切断等の操作が可能な入力画面８０がタッチパネル１１に表示されている。この状態では、ユーザは第１の受話部１２及び送話部１３を使用して通話を行う。
【００３８】
図５（ｂ）に、タッチパネル１１が内側となるように筐体を折り畳んだ状態を示す。この場合、磁気センサ２３は「閉」の信号を発しており、タッチパネル１１は消灯している。図５（ｂ）に示す状態は、ユーザが携帯端末１を持ち運ぶための状態であり、本実施形態の構成では通常ユーザは携帯端末１に対して特段の入力操作等を行わない。
【００３９】
しかしながら、この状態で外部から電話の着信があった場合、第２の受話部１４の第２のスピーカー６８から予め設定された着信音が流れる。そして、操作ボタン２２に予め設定されている、電話回線の接続及び切断等の機能が使用可能となる。このとき、ユーザは電話の接続が割り当てられたボタンを押下することで、第２の受話部１４及び送話部１３を使用して通話することが可能となる。また、通話を終了する場合には電話回線の切断が割り当てられたボタンを押下することで、携帯電話機としての機能は終了し、元の持ち運び状態に戻る。
【００４０】
上記動作において、第１のスピーカー６５と第２のスピーカー６８とは、磁気センサ２３が検出する筐体の開閉状態により切り替えられて動作する。本実施形態の例では、図５（ｂ）のように持ち運び状態の「閉」の時には、第１のスピーカー６５は動作せず第２のスピーカー６８が放音する。また、「閉」の状態から筐体が開かれてマグネット１５と磁気センサ２３とが所定の距離を有する「開」の状態（図１、図５（ａ））では、第１のスピーカー６５が放音し第２のスピーカー６８は動作しない。
【００４１】
なお、本実施形態では第１のスピーカー６５と第２のスピーカー６８とは切り替えられて動作するが、第１の受話部１２及び第２の受話部１４としての通話時の聞き取り易さ等を考慮して、第１の筐体１０の内部で音漏れを防止する仕切り等を設けることとしてもよい。また、いずれの場合でも、磁気センサ２３が検出する筐体の開閉情報に基づいて、制御部４１が、第１のスピーカー６５と第２のスピーカー６８とを同時に放音させたり、それぞれの音量を変更したりすることとしてもよい。
【００４２】
以上説明したように、本実施形態では、折り畳み式の携帯端末装置において、一の筐体内に２つのスピーカーを互いに反対方向に放音するように並べることとする。これにより、一の筐体の表裏のいずれの面も受話部とすることができる。複数のスタイルをとるような筐体構成を有する携帯端末装置で通話に関する煩雑な筐体操作を低減させ、ユーザが使いやすい携帯端末装置を提供することが可能となる。また、２つのスピーカーを並べて配置することにより、筐体の厚さを増大させる必要がないため、筐体の更なる小型化及び薄型化に対しても好適に本実施形態の構造を用いることができる。
【００４３】
また、筐体に設けられた開閉検出部４６が検出する筐体の開閉状態に基づいて２つのスピーカーのオン／オフを切り替えるため、ユーザが切り替えるための煩雑な動作をする必要がない。
【００４４】
なお、本発明は上述した実施形態、具体例に限定されず、種々の変形及び応用が可能である。
【００４５】
例えば、上記の実施形態では、第１の筐体１０におけるタッチパネル１１の反対側の面（図５（ｂ））での通話は着信専用としたが、この面に電話番号入力用のボタン又はタッチパネル等の入力装置を設けることとしてもよい。これにより、表裏のいずれの面を外側とする状態でも電話を発信することができる。なお、着信専用の場合であっても、例えば通話相手の登録名を表示する表示装置等を適宜設けてもよい。また、電話回線の接続は図１のキーボード２１や図５（ａ）の入力画面８０を用いて行い、その後、図５（ａ），（ｂ）のいずれかの折り畳み状態で通話することとしてもよい。
【００４６】
また、上記の実施形態では、第１のスピーカー６５及び第２のスピーカー６８をそれぞれ通話用の第１の受話部１２及び第２の受話部１４の構成物として説明している。これ以外にも、第１のスピーカー６５及び第２のスピーカー６８を、例えば前述の着信音や通話以外の機能におけるスピーカーとして、所定の音量で放音するように構成してもよい。
【００４７】
また、上記の実施形態では、２つの筐体を折り畳んで使用する携帯端末装置について説明したが、ヒンジで連結される筐体の数は３つ以上であってもよい。また、ヒンジは必ずしも平行な２軸である必要はなく、２つのスピーカーを内蔵する一の筐体が表裏反転されてそれぞれ折り畳むことが可能な筐体構造であればよい。
【００４８】
また、上記の実施形態では、図５（ｂ）のときのみを「閉」として、筐体の開閉状態を２つに分けているが、例えば、図１、図５（ａ）及び図５（ｂ）でいずれも異なるように筐体の開閉状態を分けてもよい。この場合、第３のスピーカーや第２の開閉検出部を適宜備えることとしてもよい。
【００４９】
上記の実施形態の一部又は全部は、以下の付記のようにも記載されうるが、以下には限られない。
【００５０】
（付記１）
一の筐体が他の筐体とヒンジで回動可能に連結され、前記一の筐体の対向する第１及び第２の主面を表裏反転させて折り畳むことが可能な携帯端末装置であって、
前記一の筐体は、前記第１の主面に設けられた第１の受話部と、前記第２の主面に設けられた第２の受話部と、側面に設けられた送話部と、を備える、
ことを特徴とする携帯端末装置。
【００５１】
（付記２）
前記第１の受話部は、前記第１の主面から外部に放音する第１のスピーカーを備え、
前記第２の受話部は、前記第１のスピーカーと同一平面上に並べて配置され前記第２の主面から外部に放音する第２のスピーカーを備える、
ことを特徴とする付記１に記載の携帯端末装置。
【００５２】
（付記３）
前記一の筐体と前記他の筐体との開閉状態を検出し、開閉情報として送出する開閉検出手段と、
前記開閉情報に基づいて、前記第１の受話部と前記第２の受話部とのオン／オフを切り替える通話制御手段と、をさらに備える、
ことを特徴とする付記１又は２に記載の携帯端末装置。
【符号の説明】
【００５３】
１…携帯端末、１０…第１の筐体、１１…タッチパネル、１２…第１の受話部、１３…送話部、１４…第２の受話部、１５…マグネット、２０…第２の筐体、２１…キーボード、２２…操作ボタン、２３…磁気センサ、３０…ヒンジ、４１…制御部、４２…通信部、４３…アンテナ、４４…タッチパネル部、４５…操作部、４６…開閉検出部、４７…記憶部、４８…音声入出力部、６１…ケース、６２…ケース、６３…凹部、６４…孔、６５…第１のスピーカー、６６…凹部、６７…孔、６８…第２のスピーカー、６９…基板、７０…孔、７１…マイクロホン、８０…入力画面
【図１】
2011259182.tif 000003
【図２】
2011259182.tif 000004
【図３】
2011259182.tif 000005
【図４】
2011259182.tif 000006
【図５】
2011259182.tif 000007